(57)【特許請求の範囲】
【請求項１】
ユーザの頭部に装着され、該ユーザに対して画像データに基づく画像光による画像が外界の視野像とともにユーザに視認されるディスプレイを備えたウェアラブルデバイスであって、
ユーザが視認する外界像を撮影するカメラ部と、
ユーザの眼から注視点までの距離である視距離を測定する測距部と、
前記カメラ部によりユーザが視認する外界像を撮影した画像データ及び該撮影した画像データに対応して測定されたユーザの視距離の測定データに基づき、前記ユーザが視認する外界像を撮影した画像データによる画像光を前記測定されたユーザの視距離に視認される虚像としてユーザの眼に投影する画像投影部と、
ウェアラブルデバイスを制御しウェアラブルデバイスとして機能させるためのプログラム及び各種データを保存する記憶部と、
前記カメラ部によりユーザが視認する外界像を撮影した画像データをリアルタイムで画像処理する画像処理部と、
ユーザ間で情報交換する機能を有する外部機器と音声通話チャネル、文字データ通信チャネル、及び画像データ通信チャネルを形成して、データを送受信する無線通信部と、
前記それぞれの構成要素の動作を制御する制御部と、を備え、
前記画像処理部は、
前記カメラ部によりユーザが視認する外界像を撮影した画像データに人物として識別される画像が含まれているか否かを判断する手段を更に有し、
前記制御部は、
前記カメラ部によりユーザが視認する外界像を撮影した画像データを、前記無線通信部を介して前記外部機器の中のユーザが指定する少なくとも１つに送信する場合、前記画像処理部により前記撮影した画像データに人物として識別される画像が含まれていると判断されると、ユーザ指示によらず自動的に前記撮影した画像データを前記画像処理部によりリアルタイムで個人特定が困難な低階調の画像データに変換して前記外部機器に送信するように制御することを特徴とするウェアラブルデバイス。
【請求項２】
前記カメラ部によりユーザが視認する外界像を撮影した画像データを前記画像処理部により低階調の画像データに変換する処理は、二値化処理または三値化処理であることを特徴とする請求項１に記載のウェアラブルデバイス。
【請求項３】
前記外部機器が、ユーザが装着するウェアラブルデバイスと同一構成のウェアラブルデバイスである場合、前記カメラ部によりユーザが視認する外界像を撮影した画像データとともに該画像データに対応して測定されたユーザの視距離の測定データを送信することを特徴とする請求項１又は２に記載のウェアラブルデバイス。
【請求項４】
ユーザの頭部に装着され、該ユーザに対して画像データに基づく画像光による画像が外界の視野像とともにユーザに視認されるディスプレイを備えたウェアラブルデバイスの制御方法であって、
カメラ部によりユーザが視認する外界像を撮影するステップと、
測距部によりユーザの眼から注視点までの距離である視距離を測定するステップと、
画像投影部により前記カメラ部によりユーザが視認する外界像を撮影した画像データ及び該撮影した画像データに対応して測定されたユーザの視距離の測定データに基づき、前記ユーザが視認する外界像を撮影した画像データによる画像光を前記測定されたユーザの視距離に視認される虚像としてユーザの眼に投影するステップと、
前記カメラ部によりユーザが視認する外界像を撮影した画像データを、無線通信部を介してユーザ間で情報交換する機能を有する外部機器の中のユーザが指定する少なくとも１つに送信するステップと、を有し、
前記カメラ部によりユーザが視認する外界像を撮影した画像データを、前記無線通信部を介して前記外部機器の中のユーザが指定する少なくとも１つに送信するステップは、
前記カメラ部によりユーザが視認する外界像を撮影した画像データに人物として識別される画像が含まれているか否かを判断するステップを更に有し、
前記撮影した画像データに人物として識別される画像が含まれていると判断されると、
ユーザ指示によらず自動的に前記撮影した画像データを画像処理部によりリアルタイムで個人特定が困難な低階調の画像データに変換して送信するステップを含むことを特徴とするウェアラブルデバイスの制御方法。
【請求項５】
前記カメラ部によりユーザが視認する外界像を撮影した画像データを低階調の画像データに変換する処理は、二値化処理または三値化処理であることを特徴とする請求項４に記載のウェアラブルデバイスの制御方法。
【請求項６】
前記カメラ部によりユーザが視認する外界像を撮影した画像データを、前記無線通信部を介してユーザが指定する少なくとも１つの前記外部機器に送信するステップは、
前記外部機器が、ユーザが装着するウェアラブルデバイスと同一構成のウェアラブルデバイスである場合、前記カメラ部によりユーザが視認する外界像を撮影した画像データとともに該画像データに対応して測定されたユーザの視距離の測定データを送信するステップを含むことを特徴とする請求項４又は５に記載のウェアラブルデバイス。
【請求項７】
請求項３に記載のウェアラブルデバイスを複数備え、複数のウェアラブルデバイスに接続された外部データサーバを更に含む画像共有システムであって、
前記ウェアラブルデバイスは、
前記ウェアラブルデバイスに搭載されたカメラ部によりユーザが視認する外界像を撮影した画像データ及び該画像データに対応して測定されたユーザの視距離の測定データを前記外部データサーバに通信ネットワークを介して送受信するための無線通信部を備え、
前記外部データサーバは、
前記複数のウェアラブルデバイスとデータの送受信を行う通信部と、
前記ウェアラブルデバイスから受信したデータを保存する記憶部と、
前記複数のウェアラブルデバイスのうちの第１のウェアラブルデバイスから送信される第１のウェアラブルデバイスのユーザが視認する外界像を撮影した画像データを前記第１のウェアラブルデバイスの画像処理部で処理した画像データ及び前記撮影した画像データに対応して測定されたユーザの視距離の測定データを受信して前記記憶部に保存し、前記複数のウェアラブルデバイスうちの第２のウェアラブルデバイスからの要求に応じて前記記憶部に保存された前記第１のウェアラブルデバイスのユーザが視認する外界像を撮影した画像データを前記第１のウェアラブルデバイスの画像処理部で処理した画像データ及び前記撮影した画像データに対応して測定されたユーザの視距離の測定データを前記要求のあった第２のウェアラブルデバイスに送信する制御部と、を備えることを特徴とする画像共有システム。
【発明の詳細な説明】
【技術分野】
【０００１】
本発明は、ウェアラブルデバイスに係り、より詳細には、ユーザの頭部に装着され、ユーザの視認する画像を撮影してユーザの眼前に虚像として表示するディスプレイを備え、撮影した画像をリアルタイムで画像処理し、個人特定が困難な画質に変換して外部機器と共有するように制御することでプライバシー保護機能を具現するウェアラブルデバイス及びその制御方法並びに画像共有システムに関する。
【背景技術】
【０００２】
近年、ユーザの身体に取り付けて使用することのできるウェアラブルデバイスへの需要が高まりつつある。特に頭部に装着して使用するヘッドマウントディスプレイ（ＨＭＤ）のように、ユーザの視認する画像を撮影してユーザの眼前に虚像として表示する機能を有するウェアラブルデバイスは、撮影した画像をユーザ本人が視認すると同時に、各種通信手段を使用して、ウェアラブルデバイスを装着するユーザ間で情報交換する機能を備えることにより、コミュニケーションのためのツールとして利用する形態に発展している。
【０００３】
例えば、特許文献１〜３には、従来のＨＭＤが開示されている。
特許文献１（特開平５−３０３０５３号公報）には、ユーザが見ている外界の視野像（外界像と呼ぶ）と画像表示装置の表示画像とを重ね合わせて、これらの像が同時にユーザによって視認されるように構成した光学系を備えるＨＭＤが開示されている。このタイプのＨＭＤはシースルー型ＨＭＤと呼ばれている。
特許文献２（特開２０１１−６９８４９号公報）には、シースルー型ＨＭＤの使用時に、外界像の上に重ねて画像情報（又はコンテンツ情報）に基づく表示画像が提示されることにより、ユーザが外界像と表示画像を区別し難くなるのを避けるため、表示画像に囲い枠を付加する等の表示効果付加手段を備えたシースルー型ＨＭＤが開示されている。
【０００４】
また、特許文献３（特開２０１０−２１３２１４号公報）には、カメラを備えたＨＭＤを用いて撮像した画像のデータを、表示手段により表示された旅行ガイド等のコンテンツ情報に関連付けて記憶する手段を備えたＨＭＤが開示されている。特許文献３のＨＭＤは、ユーザの視線方向を検出し、その検出結果に応じてユーザの視野範囲を、静止画像としてチャプチャすることが記載されている。
【０００５】
特許文献３に記載されているＨＭＤのように、ユーザの視認する画像をモニターし、ユーザの望む画像を静止画像として記憶する技術は、個人的な記録として個人で所有するのに有用である。
【０００６】
しかしながら、上述したコミュニケーションのためのツールとして、ユーザが視認する画像を他者と共有する場合、プライバシー保護が重要な問題となる。
特に、従来の撮像機能を備えたＨＭＤでは、ＨＭＤを使用するユーザがその視認している画像を他のユーザと共有する場合に、ユーザの意図に拘らず、その視野内に存在する人物の画像も含まれてしまうため、プライバシー保護上の問題を内包する。
【０００７】
一方、ウェアラブルデバイスをコミュニケーションのためのツールとして使用する上で、他のユーザと各種データを送受信して情報を共有する際の通信負荷の軽減が重要である。特に、画像データはデータサイズが大きいため、通信速度の遅い無線通信環境下では、遅延が増大して、リアルタイムのコミュニケーションを阻害する要因になり得る。
【先行技術文献】
【特許文献】
【０００８】
【特許文献１】特開平５−３０３０５３号公報
【特許文献２】特開２０１１−６９８４９号公報
【特許文献２】特開２０１０−２１３２１４号公報
【発明の概要】
【発明が解決しようとする課題】
【０００９】
本発明は、上記従来の問題に鑑みてなされたものであって、本発明の目的は、ユーザの頭部に装着され、ユーザの視認する画像を撮影してユーザの眼前に虚像として表示するディスプレイを備え、撮影した画像をリアルタイムで個人特定が困難な画質に変換してプライバシー保護機能を具現するウェアラブルデバイス及びその画像処理制御方法並びに画像共有システムを提供することにある。
【課題を解決するための手段】
【００１０】
上記目的を達成するためになされた本発明の一態様によるウェアラブルデバイスは、ユーザの頭部に装着され、該ユーザに対して画像データに基づく画像光による画像が外界の視野像とともにユーザに視認されるディスプレイを備えたウェアラブルデバイスであって、ユーザが視認する画像を撮影するカメラ部と、ユーザの眼から注視点までの距離である視距離を測定する測距部と、前記カメラ部で撮影した画像データ及び該画像データに対応する視距離の測定データに基づき画像光を前記視距離に視認される虚像としてユーザの眼に投影する画像投影部と、ウェアラブルデバイスを制御しウェアラブルデバイスとして機能させるためのプログラム及び各種データを保存する記憶部と、前記カメラ部で撮影した画像データをリアルタイムで画像処理する画像処理部と、外部機器とデータを送受信する無線通信部と、前記それぞれの構成要素の動作を制御する制御部と、を備え、前記制御部は、前記カメラ部で撮影した画像データを、前記無線通信部を介して外部機器に送信する場合、該撮影した画像データを前記画像処理部によりリアルタイムで個人特定が困難な低階調の画像データに変換して前記外部機器に送信するように制御することを特徴とする。
【００１１】
前記撮影した画像データを前記画像処理部により低階調の画像データ変換する処理は、二値化処理または三値化処理であり得る。
前記外部機器が、ユーザが装着するウェアラブルデバイスと同一構成のウェアラブルデバイスである場合、前記カメラ部で撮影した画像データとともに該画像データに対応する視距離の測定データを送信し得る。
前記画像処理部は、前記撮影した画像データに人物として識別される画像が含まれているか否かを判断する手段を更に有し、前記制御部は、前記撮影した画像データを外部機器に送信する場合、前記画像処理部により前記撮影した画像データに人物として識別される画像が含まれていると判断されると、前記撮影した画像データを前記画像処理部により低解像度の画像データに変換して前記外部機器に送信するように制御し得る。
前記ウェアラブルデバイスは、ユーザの視野方向の変動を検出する視野変動検出部を更に備え、前記制御部は、前記視野変動検出部から出力される検出信号を確認し、視野変動を検知した第１の検出信号を受けた後に次の視野変動を検知した第２の検出信号を受けるまでの期間が予め設定された時間を超過した場合、前記予め設定された時間の到達時にユーザが視認している画像を静止画として撮影し、該撮影した静止画の画像データを前記記憶部又は前記外部機器に保存し得る。
【００１２】
上記目的を達成するためになされた本発明の一態様によるウェアラブルデバイスの制御方法は、ユーザの頭部に装着され、該ユーザに対して画像データに基づく画像光による画像が外界の視野像とともにユーザに視認されるディスプレイを備えたウェアラブルデバイスの制御方法であって、カメラ部によりユーザが視認する画像を撮影するステップと、測距部によりユーザの眼から注視点までの距離である視距離を測定するステップと、画像投影部により前記カメラ部で撮影した画像データ及び該画像データに対応する視距離の測定データに基づき画像光を前記視距離に視認される虚像としてユーザの眼に投影するステップと、前記カメラ部で撮影した画像データを、無線通信部を介して外部機器に送信するステップと、を有し、前記カメラ部で撮影した画像データを、無線通信部を介して外部機器に送信するステップは、前記撮影した画像データを画像処理部によりリアルタイムで個人特定が困難な低階調の画像データに変換するステップを含むことを特徴とする。
【００１３】
前記撮影した画像データを低階調の画像データに変換する処理は、二値化処理または三値化処理であり得る。
前記カメラ部で撮影した画像データを、無線通信部を介して外部機器に送信するステップは、前記外部機器が、ユーザが装着するウェアラブルデバイスと同一構成のウェアラブルデバイスの場合、前記カメラ部で撮影した画像データとともに該画像に対応する視距離の測定データを送信するステップを含み得る。
前記ウェアラブルデバイスの制御方法は、前記ユーザの視野方向の変動を検出するステップを更に有し、前記ユーザの視野方向の変動を検出するステップは、前記視野変動検出部から出力される検出信号を確認するステップと、視野変動を検知した第１の信号を受けた後に次の視野変動を検知した第２の信号を受けるまでの期間を計測するステップと、計測時間が予め設定した時間を超過した場合、前記予め設定された時間の到達時にユーザが視認している画像に対応する画像データを静止画の画像データとして前記記憶部又は前記外部機器に保存し得る。
【００１４】
上記目的を達成するためになされた本発明の一態様による画像共有システムは、前記ウェアラブルデバイスを複数備え、複数の前記ウェアラブルデバイスに接続された外部データサーバを更に含む画像共有システムであって、前記ウェアラブルデバイスは、前記ウェアラブルデバイスに搭載されたカメラ部によりユーザが視認している画像を撮影した画像データ及び該画像データに対応する視距離の測定データを前記外部データサーバに通信ネットワークを介して送受信するための無線通信部を備え、前記外部データサーバは、前記複数のウェアラブルデバイスとデータの送受信を行う通信部と、前記ウェアラブルデバイスから受信したデータを保存する記憶部と、前記複数のウェアラブルデバイスのうちの第１のウェアラブルデバイスから送信される画像データ及び視距離の測定データを受信して前記記憶部に保存し、前記複数のウェアラブルデバイスうちの第２のウェアラブルデバイスからの要求に応じて前記記憶部に保存された前記第１のウェアラブルデバイスの画像データ及び視距離データを前記要求のあった第２のウェアラブルデバイスに送信する制御部と、を備えることを特徴とする。
【発明の効果】
【００１５】
本発明のウェアラブルデバイスとその制御方法によれば、ユーザの視認する画像を撮影して、撮影した画像データをリアルタイムで個人特定が困難な低階調の画像データに変換して外部出力することによりプライバシーを保護するとともに通信速度を向上させることができる。
また、本発明のウェアラブルデバイスを複数備え、更に複数のウェアラブルデバイスに接続される外部記憶装置とから構成される画像共有システムによれば、プライバシーが保護された状態で無線ネットワークを通じたユーザ間でリアルタイムの情報交換が可能なコミュニケーションツール及び手段を提供することができる。
【図面の簡単な説明】
【００１６】
【図１】本発明の一実施形態によるウェアラブルデバイスを示す斜視図である。
【図２】本発明の一実施形態によるウェアラブルデバイスの構成を概略的に示すブロック図である。
【図３】本発明の一実施形態によるウェアラブルデバイスの画像投影部の構成を概略的に示す図である。
【図４】本発明の第１の実施形態によるウェアラブルデバイスの制御方法を示すフローチャートである。
【図５】本発明の第２の実施形態によるウェアラブルデバイスの制御方法を示すフローチャートである。
【図６】本発明の一実施形態によるウェアラブルデバイスを用いた画像共有システムの構成を示す図である。
【図７】本発明の一実施形態によるウェアラブルデバイスを用いた画像共有システムの制御方法を示すフローチャートである。
【図８】本発明の他の実施形態によるウェアラブルデバイスを用いた画像共有システムの制御方法を示すフローチャートである。
【図９】本発明の更に他の実施形態  によるウェアラブルデバイスを用いた画像共有システムの制御方法を示すフローチャートである。
【発明を実施するための形態】
【００１７】
以下、本発明を実施するための形態の具体例を、図面を参照しながら詳細に説明する。
【００１８】
図１は、本発明の一実施形態によるウェアラブルデバイスを示す斜視図である。図２は、本発明の一実施形態によるウェアラブルデバイスの構成を概略的に示すブロック図である。
【００１９】
図１及び図２を参照すると、ウェアラブルデバイス１００は、画像投影部１０、カメラ部２０、マイク３０、イヤホン４０、及びタッチスイッチ５０を備える。また、ウェアラブルデバイスの筐体６０内には、制御部７０、視野変動検出部８１、無線通信部８２、オーディオ処理部８３、及び記憶部８４が内蔵され、ウェアラブルデバイスの筐体９０内にはバッテリー８５を備える。
【００２０】
ウェアラブルデバイス１００は、ユーザが視認する外界像をカメラ部２０で撮影し、撮影した画像データを制御部７０に送出する。制御部７０は、受信した画像データをユーザからの指示に従って処理し、画像投影部１０を通じて画像データに基づく画像光をユーザの眼に投影するように制御する。
【００２１】
画像投影部１０は、ウェアラブルデバイス１００のディスプレイを構成し、オートフォーカス機能を有し、虚像の投影距離を調整してユーザが注視している位置に虚像を映し出す。これにより、ユーザはその虚像を空中に浮かんだ感覚で視認することができる。本機能の詳細については後述する。
また、画像投影部１０は、無線通信部８２を通じて受信したコンテンツ情報に基づく画像データをユーザの眼に投影することができる。
【００２２】
図２を参照すると、制御部７０は、ウェアラブルデバイス１００の全般的な動作のために各構成要素を制御するＣＰＵ７１、画像データの画像変換を行いデータ圧縮等の処理を担う画像処理部７２、及び入出力データの種別を判定して対応するインターフェイスと構成要素との接続切換え等を制御する入出力制御部７３を備える。
【００２３】
ＣＰＵ（Ｃｅｎｔｒａｌ  Ｐｒｏｃｅｓｓｉｎｇ  Ｕｎｉｔ）７１は、ウェアラブルデバイス１００の各構成要素に対する電源供給を制御し、初期化過程を実行し、初期化過程が完了すると、各構成要素に対する各種データ処理のためのユーザインターフェースを制御し、ユーザによって生成されたタッチイベントに基づいて選択された機能を遂行し、入出力データの送受信等を制御する。
【００２４】
画像処理部７２は、画像データの画像解析による人物識別、二値化処理等の低階調画像又はその他の形式の低解像度画像へのデータ変換処理、及びデータ圧縮解凍処理等を行う専用プロセッサ（例えば、ＤＳＰ）を備える。
入出力制御部７３は、画像データ、音声データ、及び各種コンテンツデータの入出力を制御し、ユーザの指示に基づき、それぞれ対応する構成要素に伝送する。
【００２５】
視野変動検出部８１は、ジャイロセンサ及び加速度センサ（図示せず）を備え、ユーザの視野方向の変動を検出する。視野変動検出部８１は、ジャイロセンサにより検出される角速度値及び／又は加速度センサーにより検出される加速度値が、ある基準値に対して所定の閾値以上変化したときに、ユーザの視野変動があったものと判断し、その検知信号を制御部７０に送出する。
【００２６】
制御部７０は、視野変動検出部８１からの検知信号を受信すると、オートフォーカス機能を作動させる命令信号を画像投影部１０に送出する。すなわち、オートフォーカス機能は常時作動とせず、視野方向の変動を検出した時のみに作動するように制御する。これにより、ウェアラブルデバイス１００が備えるバッテリー８５の電力消費を抑制することが可能になる。
【００２７】
無線通信部８２は、音声通話のための通信チャネルの形成、及び画像データ又は文字データを伝送するための通信チャネル形成などを制御部７０の制御の下に行う。即ち、無線通信部８２は、音声通話チャネル、文字データ通信チャネル、及び画像データ通信チャネルなどを移動通信システムの間に形成する。無線通信部８２の運用のために、ウェアラブルデバイス１００は、様々な情報、例えば通信先リスト情報などを画像投影部１０に出力するように制御する。無線通信部８２は、ブルートゥース（登録商標）、ＷｉＦｉ（登録商標）などで構成される。
【００２８】
オーディオ処理部８３は、通話時に送受信されるオーディオデータ、受信したメッセージに含まれるオーディオデータ、及び外部記憶装置から受信したオーディオファイル再生によるオーディオデータなどをイヤホン４０に出力し、通話時にユーザの音声又はその他のオーディオ信号を、マイク３０を通じて収集する。
【００２９】
タッチスイッチ５０は、ウェアラブルデバイス１００のフレーム側部に配置され、画像投影部１０に出力する特定イメージや特定機能をユーザが指示するために、タッチスイッチ５０の特定の領域を特定の所作でタッチした場合、それに対応するタッチイベントを生成するようにサポートする。
【００３０】
記憶部８４は、図示しないがフラッシュメモリ（フラッシュＥＥＰＲＯＭ）、ＲＡＭ等で構成され、本実施形態による機能動作に必要な各種アプリケーションプログラム及びタッチスイッチ５０の運用のためのメニューマップなどを含む。ここで、メニューマップは、様々な形態を使用することができる。即ち、メニューマップは、現在活性化されているアプリケーションプログラムの運用制御のためのメニューマップであってもよく、ウェアラブルデバイス１００が提供する様々なメニューをリストとして有するメニューマップであってもよい。また、記憶部８４は、プログラム領域とデータ領域を含む。
【００３１】
プログラム領域は、ウェアラブルデバイス１００の起動及び上述した各構成要素の運用のためのＯＳ（Ｏｐｅｒａｔｉｎｇ  Ｓｙｓｔｅｍ）、様々な機能を実行するためのアプリケーションプログラム、例えば、通話機能サポートのためのアプリケーションプログラム、インターネットサーバーに接続するためのウェブブラウザ、オーディオデータを再生するためのＭＰ３アプリケーションプログラム、静止画像などを表示するためのイメージ出力アプリケーションプログラム、動画像圧縮再生アプリケーションプログラムなどを保存する。
特に、本実施形態のプログラム領域には、画像変換処理アプリケーションプログラムを含む。
【００３２】
画像変換処理アプリケーションプログラムは、メニュー又はタッチ所作による選択信号によって、撮影画像にプライバシー保護を設定する場合、カメラ部２０で撮影した画像データに、予め設定した画像変換処理（例えば、二値化或いは三値化等の低階調化処理又はその他の低解像度化処理）を行うルーチンを含む。例えば、プライバシー保護が設定されるウェアラブルデバイスの使用モードとして、共有モード（他のウェアラブルデバイスユーザと画像データを送受信するモード）、プライベートモード（画像データを外部装置に送出するモード）を設定することができる。
【００３３】
データ領域は、ウェアラブルデバイス１００の使用によって発生する各種データが保存される領域であり、メニューマップ情報、各種機能に対応する少なくとも１つのアイコン又は様々なコンテンツを保存する。また、データ領域には、カメラ部２０で撮影した画像データ、外部から受信した画像データ、及び各種コンテンツ情報データなどが一時保存される。特に、本実施形態のデータ領域は、カメラ部２０で撮影した画像データを画像処理部７２で画像変換する際、画像データのバッファメモリとして機能し、通信機能をサポートするアプリケーションプログラムの活性化時に上記変換データを無線通信部８２に送出する。
【００３４】
次に、図３を参照して、本実施形態の画像投影部１０について、より詳しく説明する。
【００３５】
画像投影部１０は、画像データを表示する表示部１１、表示部１１から出射された画像光をユーザの眼Ｅに導く光学モジュール１２、及びユーザの「視距離」を測定する測距部１３を備える。ここで「視距離」とは、ユーザの眼Ｅから注視点までの距離を意味する。
【００３６】
表示部１１は、図示しないが、表示素子と光源から構成され、画像データを画像光に変換して光学モジュール１２に出射する。
表示素子は、例えば、光が通過する領域となる各画素がマトリクス状に配置された透過型の液晶表示素子又は反射型の液晶表示素子で構成される。光源は、Ｒ（赤色）、Ｇ（緑色）、Ｂ（青色）の各色の光を出射するものであり、例えばＬＥＤ（発光ダイオード）から成る。なお、光源は、ＲＧＢ一体型のＬＥＤパネルで構成されることが好ましいが、単色光や白色光を出射するものであってもよい。
【００３７】
光学モジュール１２は、表示部１１からの画像光をユーザの眼Ｅに導く光学系である。光学モジュール１２は、プリズム１４、補正レンズ１５、及び補正レンズの焦点位置を調整することで虚像の投影距離を調整する投影距離調整部１６を備える。
プリズム１４は、表示部１１からの画像光の光路を直角に折り曲げる手段として機能する導光部材である。プリズム１４は、単一のプリズムで構成されてもよいし、複数プリズムを組み合わせて構成されてもよい。
【００３８】
測距部１３は、図示しないが、ユーザの眼Ｅの屈折力を計測する測距センサーを備え、測距センサーから得られた屈折力に基づいて、ユーザの眼Ｅが焦点を合わせている注視点の位置を特定する。これにより、測距部１３は、ユーザの眼Ｅから注視点までの距離（視距離）を測定する。測距部１３は、計測した視距離に関するデータを、制御部７０に送出する。
【００３９】
制御部７０は、視距離に関するデータに基づき、光学モジュール１２の投影距離調整部１６を制御する。すなわち、投影距離調整部１６は、制御部７０から視距離に関するデータに対応する制御信号を受けて、補正レンズ１５の物理的な位置を前後させることにより、プリズム１４に画像光が集光する面積を調整して虚像の投影距離を調節する。なお、投影距離調整部１６が虚像の投影距離を調整する方法は、上記に限定されるものではなく、適宜周知の方法を用い得る。
【００４０】
以下、本発明の一実施形態によるウェアラブルデバイス１００の制御方法をより詳細に説明する。
【００４１】
図４は、本発明の第１の実施形態によるウェアラブルデバイスの制御方法を示すフローチャートである。
【００４２】
図４を参照すると、先ず、ユーザがウェアラブルデバイス１００を装着する（ステップＳ１００）と、ウェアラブルデバイス１００に備わるセンサー（図示せず）が装着を感知して電源が供給され、供給された電源を利用してウェアラブルデバイス１００の制御部７０は起動を完了して予め設定されたスケジュール情報に従って初期画像又はメニュー画像を画像投影部１０に出力する（ステップＳ１１０）。その後、制御部７０はユーザによる特定の入力イベントが例えばタッチスイッチ５０に対して生成されるか否かを確認する。
【００４３】
制御部７０は入力イベントが生成されると、該当入力イベントがカメラ部２０による撮影開始を指示する入力イベントであるか否かを確認する（ステップＳ１２０）。
制御部７０は、カメラ部２０を起動するための入力イベント発生でない場合、ステップＳ１２０の前に戻り、入力イベントが生成されるか否かの確認を行うように制御する。
なお、カメラ部の起動開始を確認するステップＳ１２０を省略して、ステップＳ１１０で電源供給開始を受けてカメラ部２０を作動させてもよい。
【００４４】
一方、ステップＳ１２０でカメラ撮影開始を指示する入力イベントが発生すると、制御部７０はカメラ部２０を起動し、カメラ部２０はユーザの視認する外景像を撮影して撮影した画像データを制御部７０に送出する。これと同時に、制御部７０は、測距部１３を起動して、ユーザが視認する注視点までの視距離を計測するように制御する。測距部１３は計測した視距離に関するデータを制御部７０に送出する（ステップＳ１３０）。
なお、「視認」とは、外景に基づく画像光がユーザの眼（網膜上）に結像されてユーザが画像を認識する態様と、表示部に表示された画像に基づく画像光をユーザが認識する態様の２つの態様を含む。
【００４５】
制御部７０は、カメラ部２０からの画像データ及び測距部１３からの視距離に関するデータを画像投影部１０に送出し、画像投影部１０は上記２つのデータに基づいてユーザの眼に視距離に対応する虚像を投影する（ステップＳ１４０）。
【００４６】
また、制御部７０は、視野変動検出部８１から出力される信号を確認する（ステップＳ１５０）。これにより、ユーザの注視状態を判断する。すなわち、視野変動検出部８１から視野変動を知らせる第１の検知信号を受けた後、次の視野変動を知らせる第２の検知信号を受けるまでの期間が、予め設定した時間（判定時間）を超過した場合、ユーザがその方向を注視していると判断する（ステップＳ１６０）。
【００４７】
制御部７０は、予め設定した判定時間が経過すると、上記判定時間の到達時にユーザが視認している画像に対応する画像データを静止画として記憶部８４に保存する（ステップＳ１７０）。この際、制御部７０は、注視判定時間の経過をユーザに認知させるためのオブジェクトを画像投影部１０からユーザの眼に投影してもよい。
なお、上記判定時間は、例えば３秒〜６秒とし、ユーザに認知させるためのオブジェクト表示を上記第１の検知信号を受けて、例えば０．５秒〜２秒後から開始してもよい。
【００４８】
その後、制御部７０は、ユーザによる特定の入力イベントが生成されるか否かを確認する（ステップＳ１８０）。カメラ部２０の作動終了を指示する入力イベントの発生がない場合、制御部７０は、ステップＳ１３０の前に分岐して、以降のステップを繰り返して行うように制御する。
一方、カメラ部２０の作動終了の入力イベントが発生した場合、制御部７０は、カメラ部２０の作動を停止してステップＳ１２０の前に分岐し、以降のステップを繰り返して行うように制御する。
【００４９】
図５は、本発明の第２の実施形態によるウェアラブルデバイスの制御方法を示すフローチャートである。本実施形態では、ユーザがウェアラブルデバイスを装着して、カメラ部を作動させた状態以降の制御方法の一例を説明する。
【００５０】
図５を参照すると、先ず、ユーザがウェアラブルデバイス１００を装着し、カメラ部２０を作動させて外界像の撮影を開始する（ステップＳ２１０）と、制御部７０はユーザによる特定の入力イベントが例えばタッチスイッチ５０に対して生成されるか否かを確認する。
【００５１】
制御部７０は、入力イベントが生成されると、該当入力イベントが撮影画像をプライベートモードで出力することを選択するための入力イベントであるか否かを確認する（ステップＳ２２０）。ここで、プライベートモードとは、カメラ部２０で撮影した画像データをリアルタイムで画像処理して、画像中の人物や場所が特定し難い画像（例えば、二値画像）に変換するモードである。
【００５２】
制御部７０は、プライベートモードを選択するための入力イベントでない場合、ステップＳ２４０に分岐し、撮影した画像データ及び視距離に関するデータを画像投影部１０に送出する。画像投影部１０は上記２つのデータに基づいてユーザの眼に視距離に対応する虚像を投影する（ステップＳ２５０）。これにより、ユーザの眼には画像投影部１０で撮影した画像がそのまま投影される（以下、通常モードと呼ぶ）。
【００５３】
一方、ステップＳ２２０でプライベートモードを選択するための入力イベントが発生すると、制御部７０は、画像処理部７２を制御して、撮影した画像データをリアルタイムで画像変換（例えば、二値化処理）する（ステップＳ２３０）。
【００５４】
そして、制御部７０は画像処理部７２で処理した画像データ（例えば、二値画像データ）及び視距離に関するデータを画像投影部１０に送出する（ステップＳ２４０）。したがって、この場合、ユーザの眼には二値画像が虚像として投影される。
【００５５】
制御部７０は、カメラ撮影中もユーザによる特定の入力イベントが生成されるか否かを確認する。制御部７０は、入力イベントが生成されると、該当入力イベントが撮影画像を外部出力するモードを選択する入力イベントであるか否かを確認する（ステップＳ２６０）。
【００５６】
ここで、撮影画像を外部出力するモードとは、制御部７０が入出力制御部７３を制御してユーザの指示に基づく外部機器との接続手段を選択し、無線通信部８２が、選択された接続手段を作動させて外部機器との通信チャネルを確立し、ユーザが撮影している画像データを外部機器に送信するモードである。外部機器との接続手段は、無線通信部８２に備えられたブルートゥース（登録商標）又はＷｉＦｉ（登録商標）通信等を用いる。また、接続先の外部機器は、スマートフォン、タブレット端末、パソコン、及びデータ（若しくはＷｅｂ）サーバである。ユーザが装着しているウェアラブルデバイスと同型の、すなわち同一の構成及び同一の機能を有するウェアラブルデバイスとのデータ共有については後述する。
【００５７】
制御部７０は、外部出力を選択するための入力イベント発生でない場合、ステップＳ２８０に分岐し、以降のステップを繰り返して行うよう制御する。
【００５８】
一方、ステップＳ２６０で外部出力を選択するための入力イベントが発生すると、制御部７０は、ユーザの指示によらず自動的にプライベートモードが選択されているか否かを確認する（ステップＳ２６５）。
【００５９】
ステップ２６５で、プライベートモードが選択されていることが確認された場合、制御部７０は、入出力制御部７３を制御して、ユーザの指示に基づく外部機器との接続手段を選択し、無線通信部８２を通じて、画像処理された画像データを外部機器に送信する（ステップＳ２７０）。
【００６０】
一方、プライベートモードが選択されていない場合、制御部７０は、ステップＳ２３０の前に分岐し、画像処理部７２を制御して撮影した画像データの画像変換処理（例えば、二値化処理）を開始（プライベートモードへ切換え）し、以降のステップを実行する。これにより、撮影画像に人物が映り込んだとしても、外部に出力されうる画像データは、個人特定が困難な低階調の画像データ（例えば二値画像データ）に変換されたものに制限されるため、プライバシーが保護される。また、二値化等の画像変換処理によって画像データが圧縮されるため、通信速度が向上する。
なお、ステップＳ２６５を省略して、ステップＳ２２０でユーザが選択したモード（通常モード又はプライベートモード）に対応する画像データを外部機器に送信できるように設定することも可能である。
【００６１】
その後、制御部７０は、プライベートモード解除のための入力イベントが生成されるか否かを確認する（ステップＳ２８０）。プライベートモード解除のための入力イベント発生がない場合、ステップＳ２３０の前に分岐し、以降のステップを繰り返して行うように制御する。
また、プライベートモード解除のための入力イベントが発生した場合、制御部７０は、画像変換処理を停止（ステップＳ２９０）した後、ステップＳ２２０の前に分岐して以降のステップを繰り返して行うように制御する。
【００６２】
なお、本実施形態では、画像データの外部出力を選択する場合に、ユーザがプライベートモードを選択するか否かを指示するフローを示したが、これに限定されない。例えば、図５のステップＳ２６０で、画像データの外部出力を選択するための入力イベントが発生した場合、ステップＳ２６５において、制御部７０は、撮影した画像データに人物として識別される画像が含まれているか否かを画像処理部７２の画像解析機能を用いて検査し、撮影した画像データに人物として識別される画像が含まれていると判断されるとユーザ指示によらずに自動的に画像処理部７２により低階調の画像データに変換するように制御する設定を適用できる。
【００６３】
以下、本発明の一実施形態によるウェアラブルデバイスを用いた画像共有システムの構成及びその制御方法を詳細に説明する。
【００６４】
図６は、本発明の一実施形態によるウェアラブルデバイスを用いた画像共有システムの構成を示す図である。
【００６５】
図６を参照すると、ユーザ１が装着するウェアラブルデバイス（ＷＤ１）１０１と同型のウェアラブルデバイス（ＷＤ２）１０２及び（ＷＤ３）１０３が、短距離無線通信（例えば、ブルートゥース（登録商標）通信）が可能な範囲内２００に存在する。それぞれのウェアラブルデバイス（ＷＤ１〜ＷＤ３）１０１〜１０３は、短距離無線通信をサポートする無線通信部を備えており、ウェアラブルデバイス１０１（ＷＤ１）は、これらの外部ウェアラブルデバイスを自動的に探索し、ユーザ１が所望の接続相手を指定してペアリング（リンクキー交換及びマスタ−スレーブ通信の確立）を行うことで、指定した１つ以上のウェアラブルデバイスと直接データを送受信（共有）する。
【００６６】
一方、ウェアラブルデバイス（ＷＤ１）１０１は、短距離無線通信可能範囲外に存在するウェアラブルデバイス（ＷＤ４）１０４に対しては、ＷｉＦｉ通信等を利用して近隣のアクセスポイントＡＰに接続し、インターネット回線等の通信ネットワーク４００を経由して通信する。
また、ウェアラブルデバイス（ＷＤ１）１０１は、同様にＷｉＦｉ通信を利用してインターネット回線等の通信ネットワーク４００に接続されたデータベースサーバ（又はＷｅｂサーバ）３００等と通信する。
【００６７】
データベースサーバ３００は、制御部３１０、記憶部３２０、及び通信部３３０を備え、ウェアラブルデバイス（ＷＤ１）１０１からの要求に応じて、記憶部３２０に保存されている各種情報やコンテンツデータをウェアラブルデバイス（ＷＤ１）１０１に提供し、又ウェアラブルデバイス１０１（ＷＤ１）から送信された画像データ及び各種データを受信して記憶部３２０に保存し、ユーザ１が許可した他のウェアラブルデバイス（例えば、ＷＤ４）からの要求に応じて、ユーザ１が記憶部３２０に保存した上記データをウェアラブルデバイス（ＷＤ４）１０４に転送する。
【００６８】
図７は、本発明の一実施形態によるウェアラブルデバイスを用いた画像共有システムの制御方法を示すフローチャートである。
【００６９】
図６及び図７を参照すると、先ず、ユーザ１がウェアラブルデバイス（ＷＤ１）１０１を装着し、カメラ部２０を作動させて外界像の撮影を開始する（ステップＳ３１０）と、ウェアラブルデバイス１０１の制御部７０はユーザ１による特定の入力イベントが例えばタッチスイッチ５０に対して生成されるか否かを確認する。
【００７０】
制御部７０は、入力イベントが生成されると、該当入力イベントが撮影画像を共有モードで出力することを選択するための入力イベントであるか否かを確認する（ステップＳ３２０）。
【００７１】
ここで、共有モードとは、無線通信部８２を作動させて短距離無線通信可能範囲内に存在する同型のウェアラブルデバイス（ＷＤ２）１０２又は／及び（ＷＤ３）１０３との通信チャネルを確立し、ユーザ１が撮影している画像データをリアルタイムで接続先のウェアラブルデバイスに送信し、また音声通話を行うモードである。
【００７２】
制御部７０は、撮影画像を共有モードで出力することを選択するための入力イベント発生でない場合、ステップＳ３２０の前に戻り、以降の過程を繰り返して行うように制御する。
【００７３】
一方、ステップＳ３２０で撮影画像を共有モードで出力することを選択するための入力イベントが発生すると、制御部７０はステップＳ３３０に進んで画像データにプライベートモードを適用するか否かを確認する。
【００７４】
制御部７０は、プライベートモードを適用しない場合、ステップＳ３５０に分岐して、撮影した画像データ及び視距離に関するデータを画像投影部１０に送出する。
画像投影部１０は、受信した画像データ及び視距離に関するデータに基づいて、ユーザ１の眼に視距離に対応する虚像を投影する（ステップＳ３６０）。これにより、ユーザ１の眼にはユーザ１の視認する画像がそのまま虚像として投影される。
【００７５】
一方、ステップＳ３３０でプライベートモード適用を指示する入力イベントが発生すると、制御部７０は、画像処理部７２を制御して撮影した画像データをリアルタイムで画像変換（例えば、二値化処理）する（ステップＳ３４０）。
【００７６】
そして、制御部７０は、画像処理部７２で画像処理した画像データ（二値画像データ）及び視距離に関するデータを画像投影部１０に送出する（ステップＳ３５０）。したがって、ユーザ１の眼には二値画像が虚像として投影される（ステップＳ３６０）。
【００７７】
また、制御部７０は、画像投影部１０に送出した画像データ及び視距離に関するデータを無線通信部８２に送出する（ステップＳ３５５）。
【００７８】
無線通信部８２は、ブルートゥース（登録商標）機能を利用して短距離無線通信可能範囲内に存在する外部のウェアラブルデバイス（ＷＤ２）１０２又は／及び（ＷＤ３）１０３に画像データ及び視距離に関するデータを送信する（ステップＳ３７０）。
【００７９】
ここで、ユーザ２が装着しているウェアラブルデバイス（ＷＤ２）１０２は、ユーザ１が装着しているウェアラブルデバイス（ＷＤ１）と同一の構成を有しているため、受信した上記２つのデータに基づき、ウェアラブルデバイス（ＷＤ２）を装着したユーザ２の眼にはユーザ１が視認する画像がユーザ１と同じ視距離に虚像として投影される。したがって、ユーザ１とユーザ２は、仮想的に同じ外景像を共有することが可能になる。
【００８０】
なお、本実施形態では、共有する画像データは、ユーザ１によって画像変換処理を行うか否かが選択される制御方法を示したが、これに限定されない。プライバシー保護及び通信速度の観点からは、二値画像を用いることが望ましく、この場合、撮影した画像に人物が含まれているか否かを画像処理部７２の画像解析機能を用いて検査し、撮影した画像に人物が含まれていると判断されるとユーザ指示によらず自動的に画像変換処理を行うようにプログラムすることも可能である。
【００８１】
その後、制御部７０は、共有モード解除の入力イベントが生成されるか否かを確認する（ステップ３８０）。共有モード解除の入力イベント発生がない場合、ステップＳ３３０の前に分岐し、以降のステップを繰り返して行うように制御する。
また、共有モード解除の入力イベントが発生した場合、制御部７０は、外部のウェアラブルデバイスへの画像データ送信を停止してステップＳ３２０の前に分岐し、以降のステップを繰り返して行うように制御する。
【００８２】
図８は、本発明の他の実施形態によるウェアラブルデバイスを用いた画像共有システムの制御方法を示すフローチャートである。
【００８３】
図８及び図６を参照すると、先ず、ユーザ１がウェアラブルデバイス（ＷＤ１）１０１を装着すると、電源が供給され、供給された電源を利用してウェアラブルデバイス（ＷＤ１）１０１の制御部７０は起動を完了し、動作モードに応じた画像を画像投影部１０に出力する。その後、制御部７０は無線通信部８２に外部ユーザからの呼出による入力イベントが受信されるか否かを確認する。例えば、ブルートゥース（登録商標）通信機能を作動させて、外部のウェアラブルデバイスからの探索を可能な状態に設定する。
【００８４】
制御部７０は、無線通信部８２に対する外部のウェアラブルデバイス（ＷＤ２）１０２からの呼出による入力イベントが生成されると（ステップＳ４１０）、該当する呼出に応答するか否かを確認する（ステップＳ４２０）。
【００８５】
ユーザ１が該当する呼出に応答しないよう指示した場合、制御部７０は、無線通信部８２が応答しないように制御して、ステップＳ４２０に戻り、以後のステップを繰り返す。
【００８６】
一方、ステップＳ４２０でユーザ１が該当する呼出に応答することを許可した場合、制御部７０は、無線通信部８２を制御して、外部のウェアラブルデバイス（ＷＤ２）１０２との通信チャネルを確立し、外部のウェアラブルデバイス（ＷＤ２）１０２から送信された各種データを受信する。
【００８７】
ウェアラブルデバイス（ＷＤ１）１０１の制御部７０は、外部のウェアラブルデバイス（ＷＤ２）１０２から送信された各種データの内容を分析して、対応する処理を実行するように制御する（ステップＳ４３０）。
【００８８】
受信した各種データの中に画像データが含まれる場合、制御部７０は受信した画像データを画像投影部１０に送出する。これと同時に、制御部７０は受信した視距離に関するデータを画像投影部１０に送出する（ステップＳ４４０）。
【００８９】
画像投影部１０は、受信した画像データ及び視距離に関するデータに基づき、ユーザ１の眼に、外部のウェアラブルデバイス（ＷＤ２）１０２を装着するユーザ２が視認する距離に対応する位置に虚像が表示されるよう画像光を投影する（ステップＳ４５０）。
【００９０】
また、制御部７０は、受信した各種データに音声データが含まれる場合、該当する音声データをオーディオ処理部８３に送出する（ステップＳ４６０）。
【００９１】
オーディオ処理部８３は、音声データをアナログ信号に変換してイヤホン４０を通してユーザ１の耳に再生する（ステップＳ４７０）。
【００９２】
その後、制御部７０は、ユーザ１による特定の入力イベントが生成されるか否かを確認する。ウェアラブルデバイス（ＷＤ２）１０２との通信を終了するための入力イベント発生がない場合、ステップＳ４３０の前に分岐し、以降のステップを繰り返して行うように制御する。
また、通信終了を指示する入力イベントが発生した場合、制御部７０は、無線通信部８２による通信を停止してステップＳ４２０の前に分岐し、以降のステップを繰り返して行うように制御する。
【００９３】
図９は、本発明の更に他の実施形態によるウェアラブルデバイスを用いた画像共有システムの制御方法を示すフローチャートである。
【００９４】
図９及び図６を参照すると、先ず、ユーザ１がウェアラブルデバイス（ＷＤ１）１０１を装着して、カメラ部２０を作動させて外界像の撮影する（ステップＳ５１０）と、制御部７０はユーザ１による特定の入力イベントが例えばタッチスイッチ５０に対して生成されるか否かを確認する。
【００９５】
制御部７０は、入力イベントが生成されると、該当入力イベントが撮影画像を、外部サーバを介して転送するモードを選択するための入力イベントであるか否かを確認する（ステップＳ５２０）。ここで、撮影画像を、外部サーバを介して転送するモードとは、ユーザ１が撮影している画像データを短距離無線通信可能範囲外に存在するウェアラブルデバイス（ＷＤ４）１０４に対して転送するモードである。
【００９６】
制御部７０は、撮影画像を、外部サーバを介して転送するモードを選択するための入力イベント発生でない場合、ステップＳ５２０の前に戻り、以降の過程を繰り返して行うように制御する。
【００９７】
一方、ステップＳ５２０で撮影画像を、外部サーバを介して転送するモードを選択する入力イベントが発生すると、制御部７０はステップＳ５３０に進んで画像データにプライベートモードを適用するか否かを確認する。
【００９８】
制御部７０は、プライベートモードを適用しない場合、ステップＳ５５０に分岐し、撮影した画像データ及び視距離に関するデータを画像投影部１０に送出する。
画像投影部１０は、上記の画像データ及び視距離に関するデータに基づいて、ユーザ１の眼に視距離に対応する虚像を投影する（ステップＳ５６０）。これにより、ユーザ１の眼にはユーザ１の視認する画像がそのまま投影される。
【００９９】
一方、ステップＳ５３０でプライベートモード適用を指示する入力イベントが発生すると、制御部７０は、画像処理部７２を制御して撮影した画像データをリアルタイムで画像変換（例えば、二値化処理）する（ステップＳ５４０）。
【０１００】
そして、制御部７０は、画像処理部７２で処理した画像データ（二値画像データ）及び視距離に関するデータを画像投影部１０に送出する（ステップＳ５５０）。したがって、ユーザ１の眼には二値画像が虚像として投影される（ステップＳ５６０）。
【０１０１】
また、制御部７０は、画像投影部１０に送出した画像データ及び視距離に関するデータを無線通信部８２に送出する（ステップＳ５５５）。
【０１０２】
無線通信部８２は、ＷｉＦｉ（登録商標）機能を利用して近隣のアクセスポイントＡＰに接続し、インターネット回線等の通信ネットワーク４００を経由してウェアラブルデバイス（ＷＤ４）１０４及び外部データサーバ３００との通信を確立する。
【０１０３】
次に、ウェアラブルデバイス（ＷＤ１）１０１は、画像データ及び視距離に関するデータを外部データサーバに送信する（ステップＳ５７０）。
外部データサーバ３００は、ウェアラブルデバイス（ＷＤ１）１０１から送信されたデータを記憶部３２０に保存し、ウェアラブルデバイス（ＷＤ４）１０４が、サーバ３００から上記保存されたデータをダウンロードすることにより、データの転送が完了する。
ここで、ウェアラブルデバイス（ＷＤ１）１０１、（ＷＤ４）１０４、及び外部データサーバ３００は、それぞれＭＡＣアドレスを有し、ＴＣＰ／ＩＰプロトコルに基づいて通信する。
【０１０４】
また、ユーザ４が装着しているウェアラブルデバイス（ＷＤ４）１０４は、ユーザ１が装着しているウェアラブルデバイス（ＷＤ１）と同一の構成を有しているため、受信した画像データ及び視距離に関するデータに基づき、ウェアラブルデバイス（ＷＤ４）を装着したユーザ４の眼にはユーザ１が視認する画像がユーザ１と同じ視距離に虚像として投影される。したがって、ユーザ１とユーザ４は、仮想的に同じ外景像を共有することが可能になる。
【０１０５】
その後、制御部７０は、外部データサーバを介して転送するモード解除の入力イベントが生成されるか否かを確認する（ステップＳ５８０）。外部データサーバを介して転送するモード解除のための入力イベント発生がない場合、ステップＳ５３０の前に分岐し、以降のステップを繰り返して行うように制御する。
一方、外部サーバを介して転送するモード解除の入力イベントが発生した場合、外部データサーバへの画像データ送信を停止してステップＳ５２０の前に分岐し、以降のステップを繰り返して行うように制御する。
【０１０６】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１０７】
１０    画像投影部
１１    表示部
１２    光学モジュール
１３    測距部
１４    プリズム
１５    補正レンズ
１６    投影距離調整部
２０    カメラ部
３０    マイク
４０    イヤホン
５０    タッチスイッチ
６０    筐体
７０、３１０    制御部
７１    ＣＰＵ
７２    画像処理部
７３    入出力制御部
８１    視野変動検出部
８２    無線通信部
８３    オーディオ処理部
８４、３２０    記憶部
８５    バッテリー
９０    筐体
１００、１０１、１０２、１０３、１０４    ウェアラブルデバイス
２００    短距離無線通信が可能な範囲内
３００    データサーバ
３３０    通信部
４００    通信ネットワーク
【図１】
0005955348.tif 000002
【図２】
0005955348.tif 000003
【図３】
0005955348.tif 000004
【図４】
0005955348.tif 000005
【図５】
0005955348.tif 000006
【図６】
0005955348.tif 000007
【図７】
0005955348.tif 000008
【図８】
0005955348.tif 000009
【図９】
0005955348.tif 000010